(57)【要約】【課題】コスト安で高い視認性を得ることができる携帯端末装置を提供する。【解決手段】表示側筐体４の内部から該表示側筐体４に設けられた投光窓４ａを介して光を外部に投光する照明装置１０を備えるＰＨＳ端末Ａであって、照明装置１０は、表示側筐体４の幅方向に延びる回転軸１２周りに回転自在な回転部材１１と、回転軸１２周りに複数配置され、回転部材１１の側面１３に向けて互いに異なる方向で、複数の異なる色調の光を投光する投光装置３０と、側面１３の少なくとも一部に設けられると共に、複数の投光装置３０から投光された光の少なくとも一部を投光窓４ａに向けて反射可能な反射部２０とを有するという構成を採用する。【選択図】図３
2010087592.tif 000002
【特許請求の範囲】
【請求項１】
筐体の内部から該筐体に設けられた投光窓を介して光を外部に投光する照明装置を備える携帯端末装置であって、
前記照明装置は、所定方向に延びる回転軸周りに回転自在な回転部材と、
前記回転軸周りに複数配置され、前記回転部材の側面に向けて互いに異なる方向で、複数の異なる色調の光を投光する投光装置と、
前記側面の少なくとも一部に設けられると共に、複数の前記投光装置から投光された光の少なくとも一部を前記投光窓に向けて反射可能な反射部とを有することを特徴とする携帯端末装置。
【請求項２】
複数の前記投光装置は、互いに輝度を異ならせた色調の光を投光することを特徴とする請求項１に記載の携帯端末装置。
【請求項３】
複数の前記投光装置は、互いに色を異ならせた色調の光を投光することを特徴とする請求項１または２に記載の携帯端末装置。
【請求項４】
複数の前記投光装置は、前記回転部材の回転方向のいずれか一方に向かうにつれて、前記色調が徐々に変化するように配置されることを特徴とする請求項１〜３のいずれか一項に記載の携帯端末装置。
【請求項５】
前記回転部材の回転方向及び回転速度の少なくともいずれか一方を調節可能な調節装置が設けられていることを特徴とする請求項１〜４のいずれか一項に記載の携帯端末装置。
【請求項６】
前記側面は、前記回転軸と平行な平面を少なくとも１つ有し、
前記平面に前記反射部が設けられていることを特徴とする請求項１〜５のいずれか一項に記載の携帯端末装置。
【請求項７】
前記筐体の内部には偏心部材を回転させて振動を生じさせる振動モータが設けられており、
前記回転部材は、前記偏心部材であることを特徴とする請求項１〜６のいずれか一項に記載の携帯端末装置。
【請求項８】
前記投光窓は、光を拡散する拡散部材から形成されていることを特徴とする請求項１〜７のいずれか一項に記載の携帯端末装置。
【請求項９】
前記投光装置は、ＬＥＤであることを特徴とする請求項１〜８のいずれか一項に記載の携帯端末装置。
【発明の詳細な説明】
【技術分野】
【０００１】
本発明は、携帯電話機やＰＨＳ（Personal Handy-phone System）端末等の携帯端末装置に関するものである。
【背景技術】
【０００２】
携帯電話機やＰＨＳ端末等の携帯端末装置では、例えば着信等のときに筐体の一部に設けられた投光窓を照明装置により発光させることによって、着信状態であることをユーザに知らせることがなされている。
このような照明装置を有する携帯端末装置として、例えば特許文献１に記載のものが知られている。特許文献１に記載の携帯端末装置によれば、バイブレータの重りに反射部を設けて、該反射部に光を投光することにより、筐体の平面方向に沿った多方向を光らせることで高い視認性を得ることができる。
【特許文献１】特開２００５−５１３９７号公報
【発明の開示】
【発明が解決しようとする課題】
【０００３】
ところで、近年の照明装置では、投光窓を介して光を投光する投光装置にＬＥＤ（Light Emitting Diode）を採用して、このＬＥＤから投光される光の色調をドライバＩＣ等の電子部品により電気的に調節することで輝度や色等を変化させ、イルミネーション効果を発現させて視認性の向上を図ることがなされている。
しかしながら、上記携帯端末装置では、ＬＥＤの色調を調節するため専用のドライバＩＣを別途設ける必要があるためコスト高になるという問題がある。
【０００４】
本発明は、上記問題点に鑑みてなされたものであって、コスト安で高い視認性を得ることができる携帯端末装置を提供することを目的としている。
【課題を解決するための手段】
【０００５】
上記の課題を解決するために、本発明は、筐体の内部から該筐体に設けられた投光窓を介して光を外部に投光する照明装置を備える携帯端末装置であって、上記照明装置は、所定方向に延びる回転軸周りに回転自在な回転部材と、上記回転軸周りに複数配置され、上記回転部材の側面に向けて互いに異なる方向で、複数の異なる色調の光を投光する投光装置と、上記側面の少なくとも一部に設けられると共に、複数の上記投光装置から投光された光の少なくとも一部を上記投光窓に向けて反射可能な反射部とを有するという構成を採用する。
このような構成を採用することによって、本発明では、複数の異なる色調の光が複数の方向から回転部材に投光される。回転部材は反射部を備えると共に回転駆動することによって、反射部の角度を連続的に変化させ、その角度に応じた上記光の少なくとも一部を投光窓に導光する。このことから、投光窓に様々な色調の変化を発現させることが可能となる。
【０００６】
また、本発明では、複数の上記投光装置は、互いに輝度を異ならせた色調の光を投光するという構成を採用する。
このような構成を採用することによって、本発明では、輝度の変化によるイルミネーション効果により視認性を高めることができる。
【０００７】
また、本発明では、複数の上記投光装置は、互いに色を異ならせた色調の光を投光するという構成を採用する。
このような構成を採用することによって、本発明では、色の変化によるイルミネーション効果により視認性を高めることができる。
【０００８】
また、本発明では、複数の上記投光装置は、上記回転部材の回転方向のいずれか一方に向かうにつれて、上記色調が徐々に変化するように配置されるという構成を採用する。
このような構成を採用することによって、本発明では、投光窓に輝度や色が徐々に変化するグラデーション効果を発現させることができる。
【０００９】
また、本発明では、上記回転部材の回転方向及び回転速度の少なくともいずれか一方を調節可能な調節装置が設けられているという構成を採用する。
このような構成を採用することによって、本発明では、回転部材の回転方向及び回転速度の少なくともいずれか一方を調節することによって、上記異なる色調の光を投光窓に導光するタイミングや周期を調節することが可能となり、投光窓に発現する色調の変化を一定ではなく、様々に変化させることができる。
【００１０】
また、本発明では、上記側面は、上記回転軸と平行な平面を少なくとも１つ有し、上記平面に上記反射部が設けられているという構成を採用する。
このような構成を採用することによって、本発明では、回転軸と平行な平面に反射部が設けられるため、回転部材の回転軸周りの回転により反射部の角度を変化させることができる。
【００１１】
また、本発明では、上記筐体の内部には偏心部材を回転させて振動を生じさせる振動モータが設けられており、上記回転部材は、上記偏心部材であるという構成を採用する。
このような構成を採用することによって、本発明では、光を反射する反射部を有する回転部材を振動モータの偏心部材として兼用することにより、装置内の部品点数の増加を抑制することができる。また、例えば着信時に回転させることによって振動と光とを同時に発現させることができ、ユーザに着信状態をより確実に認識させることができる。
【００１２】
また、本発明では、上記投光窓は、光を拡散する拡散部材から形成されているという構成を採用する。
このような構成を採用することによって、本発明では、投光窓において光を略均一に拡散させることができ、視認性を向上させることができる。
【００１３】
また、本発明では、上記投光装置は、ＬＥＤであるという構成を採用する。
このような構成を採用することによって、本発明では、ＬＥＤにより光が投光される。
【発明の効果】
【００１４】
本発明によれば、筐体の内部から該筐体に設けられた投光窓を介して光を外部に投光する照明装置を備える携帯端末装置であって、上記照明装置は、所定方向に延びる回転軸周りに回転自在な回転部材と、上記回転軸周りに複数配置され、上記回転部材の側面に向けて互いに異なる方向で、複数の異なる色調の光を投光する投光装置と、上記側面の少なくとも一部に設けられると共に、複数の上記投光装置から投光された光の少なくとも一部を上記投光窓に向けて反射可能な反射部とを有するという構成を採用することによって、複数の異なる色調の光が複数の方向から回転部材に投光される。回転部材は反射部を備えると共に回転駆動することによって、反射部の角度を連続的に変化させ、その角度に応じた上記光の少なくとも一部を投光窓に導光する。このことから、本発明では、ドライバＩＣ等の電子部品を用いることなく、投光窓に様々な色調の変化を発現させることが可能となる。
したがって、本発明は、コスト安で高い視認性を得ることができる携帯端末装置が得られる効果がある。
【発明を実施するための最良の形態】
【００１５】
次に、本発明の本実施形態を図面に基づいて説明する。なお、以下の説明においては、本発明の携帯端末装置をＰＨＳ（Personal Handy-phone System）端末に適応した場合の例について説明する。
【００１６】
先ず、図１を参照してＰＨＳ端末Ａの構成について説明する。
図１は、本実施形態におけるＰＨＳ端末Ａの外観を示す斜視図である。
本実施形態のＰＨＳ端末Ａは、図１に示すように表示側本体１と操作側本体２とがヒンジ構造３によって連結された折りたたみ形式のものである。
【００１７】
表示側本体１には、表示側本体１の外装を形成する表示側筐体（筐体）４と、表示側筐体４の一方の面側（表示面側１ａ）に設けられる表示部５と、表示部５と同一面側であって表示部５の上方に設けられる受話口６とを有する構成となっている。
表示部５は、例えば、液晶ディスプレイや、有機ＥＬ（Electro Luminescence）ディスプレイ等から形成されて所望の画像や文字等を表示するものであり、表示側筐体４の略中央部に嵌合されて設けられる。
受話口６は、表示部５の上方に形成され、表示側筐体４内に設けられた不図示のスピーカと外部とを連通する構成となっている。
【００１８】
操作側本体２は、操作側本体２の外装を形成する操作側筐体７と、操作側筐体７の一方の面側（操作面側２ａ）に設けられる操作部８と、操作部８と同一面上であって操作部８の下方に設けられる送話口９とを有する構成となっている。
操作部８は、電源キー、テンキーや各種の機能キーから構成されており、ユーザによる各種の操作指示を受け付ける構成となっている。
送話口９は、操作部８の下方に形成され、操作側筐体７内に設けられた不図示のマイクと連通する構成となっている。
【００１９】
次に、図２及び図３を参照してＰＨＳ端末Ａの内部に設けられた照明装置１０の構成について説明する。
図２は、本実施形態におけるＰＨＳ端末Ａの閉状態の外観を示す斜視図である。
図３は、図２における線視Ｘ−Ｘ断面図である。
図２に示すように、表示側筐体４の他方の面側（背面側１ｂ）には、投光窓４ａが設けられている。投光窓４ａは、表示側筐体４の内部に設けられた照明装置１０から投光される光を外部に導光するものである。この投光窓４ａは、光を拡散して全体を略均一の照度にする拡散部材からなる。
【００２０】
図３に示すように照明装置１０は、投光窓４ａの裏側に設けられており、回転部材（偏心部材）１１と、反射部２０と、複数の投光装置３０とを概略備える。
回転部材１１は、所定方向に延びる回転軸１２周りに回転自在な構成となっている。本実施形態では、回転軸１２が表示側筐体４の幅方向（図３において紙面垂直方向）と一致するように設定される。また、回転部材１１は、その側面１３に回転軸１２と平行な平面１３ａを一つ有する略半月形状を有し、その重心が偏心するように配設される。この回転部材１１は、不図示の振動モータに接続されて回転駆動することによって、着信時等に振動を生じさせる構成となっている。また、振動モータは、不図示の制御装置（調節装置）の制御の下、回転部材１１の回転方向及び回転速度の少なくともいずれか一方を調節可能な構成となっている。
【００２１】
反射部２０は、回転部材１１の側面１３であって、回転軸１２と平行な平面１３ａの一面に設けられる。反射部２０としては、鏡面部材や平面１３ａにメッキ処理等を施したもの等から構成される。この反射部２０は、回転部材１１と一体となって回転駆動することにより、複数の投光装置３０から投光される光の少なくとも一部を投光窓４ａに向けて反射可能な構成となっている。
【００２２】
投光装置３０は、回転部材１１の周囲を囲うように、回転軸１２周りに複数配置される。これら投光装置３０は、略円弧形状のホルダ３１に支持されており、所定間隔を空けて配置される。ホルダ３１の材質としては、投光装置３０から投光される光が投光装置３０の隙間において反射しないような低い反射率あるいは非反射の部材からなるものであることがイルミネーション効果を高める上で望ましい。
【００２３】
投光装置３０は、発光する光が指向性を有するＬＥＤからなり、回転部材１１の側面１３に向けて互いに異なる方向から光を投光するように傾けて設けられる。また、投光装置３０は、互いに異なる色調の光を側面１３に向けて投光するようなものを選定して配置される。本実施形態では、互いに輝度を異ならせた色調の光を投光するように、それぞれの投光装置３０の照明特性を選定する。なお、投光装置３０は、電気的な抵抗を調節することにより照明特性を互いに異ならせる構成であっても良い。
これら投光装置３０は、回転方向のいずれか一方（例えば、図３において時計回りの回転方向）に向かうにつれて、例えば輝度が徐々に高くなるように配置される。
【００２４】
続いて、上記のように構成された照明装置１０の作用について説明する。
着信を検知した不図示の制御装置は、不図示の振動モータを駆動させ、回転部材１１を回転軸１２周りに回転させる。回転部材１１が振動モータにより回転すると偏心による振動が発生し、ユーザに着信を通知する。また、回転部材１１が回転すると、側面１３に設けられた反射部２０が一体となって回転する。
このとき、複数の投光装置３０は、互いに異なる色調の光を回転部材１１の側面１３に向けて投光する。
【００２５】
側面１３に向けて投光された複数の光の一部は、反射部２０において略全反射し、投光窓４ａに導光される。投光窓４ａに導光される光は、反射部２０を介するため投光窓４ａと投光装置３０との距離が確保され、投光窓４ａを広い範囲で照明することが可能となる。また、投光窓４ａに導光された光は、拡散部材の作用により投光窓４ａ全体を略均一に照明することとなる。
【００２６】
回転部材１１の回転に応じて反射部２０の角度が変化すると、反射部２０により反射される光が漸次変更される。ここで、図３において時計回りに投光装置３０の光の輝度が徐々に高くなるように配置されており、回転部材１１が同方向に回転すると、投光窓４ａに出現する光の輝度が徐々に高く変化するイルミネーション効果が発現される。また、この輝度の変化は、振動モータの振動と同期されるため、ユーザに着信状態を効果的に認識させることが可能となる。
なお、反射部２０が下側を向いた場合は、投光窓４ａに一時的に光が導光されなくなるが、振動モータの回転数をある程度高めれば、視認性に影響を及ぼすことはない。逆に回転数を低くして、投光窓４ａに一時的に光を導光させずに、点滅のイルミネーション効果を発現させても良い。
【００２７】
したがって、上述した本実施形態によれば、表示側筐体４の内部から該表示側筐体４に設けられた投光窓４ａを介して光を外部に投光する照明装置１０を備えるＰＨＳ端末Ａであって、照明装置１０は、表示側筐体４の幅方向に延びる回転軸１２周りに回転自在な回転部材１１と、回転軸１２周りに複数配置され、回転部材１１の側面１３に向けて互いに異なる方向で、複数の異なる色調の光を投光する投光装置３０と、側面１３の少なくとも一部に設けられると共に、複数の投光装置３０から投光された光の少なくとも一部を投光窓４ａに向けて反射可能な反射部２０とを有するという構成を採用することによって、複数の異なる色調の光が複数の方向から回転部材１１に投光され、回転部材１１は反射部２０を備えると共に回転駆動することによって、反射部２０の角度を連続的に変化させて、その角度に応じた上記光の少なくとも一部を投光窓４ａに導光させる。このことから、本実施形態では、ドライバＩＣ等の電子部品を用いることなく、投光窓４ａに様々な色調の変化を発現させることが可能となる。
したがって、本実施形態は、コスト安で高い視認性を得ることができるＰＨＳ端末Ａが得られる効果がある。
【００２８】
また、本実施形態では、複数の投光装置３０は、互いに輝度を異ならせた色調の光を投光するという構成を採用することによって、輝度の変化によるイルミネーション効果により視認性を高めることができる。
【００２９】
また、本実施形態では、複数の投光装置３０は、回転部材１１の回転方向のいずれか一方に向かうにつれて、上記色調が徐々に変化するように配置されるという構成を採用することによって、投光窓４ａに輝度や色が徐々に変化するグラデーション効果を発現させることができる。
【００３０】
また、本実施形態では、側面１３は、回転軸１２と平行な平面１３ａを１つ有し、平面１３ａに上記反射部２０が設けられているという構成を採用することによって、回転部材１１の回転軸１２周り回転により反射部２０の角度を変化させて、反射部２０により反射される光を漸次変更させることができる。
【００３１】
また、本実施形態では、表示側筐体４の内部には偏心部材を回転させて振動を生じさせる振動モータが設けられており、回転部材１１は、上記偏心部材であるという構成を採用することによって、光を反射する反射部２０を有する回転部材１１を振動モータの偏心部材として兼用することにより、装置内の部品点数の増加を抑制することができる。また、例えば着信時に回転させることによって振動と光とを同時に発現させることができ、ユーザに着信状態をより確実に認識させることができる。
【００３２】
また、本実施形態では、投光窓４ａは、光を拡散する拡散部材から形成されているという構成を採用することによって、投光窓４ａにおいて光を略均一に拡散させることができ、視認性を向上させることができる。
【００３３】
また、本実施形態では、投光装置３０は、ＬＥＤであるという構成を採用することによって、指向性のある光が他の光と混じることなく側面１３に向けて投光されるため、色調の変化をより効果的に発現させることができる。
【００３４】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００３５】
例えば、上述した実施形態では、複数の投光装置３０が互いに輝度を異ならせた色調の光を投光すると説明したが、本発明は上記構成に限定されるものではなく、例えば複数の投光装置３０が互いに色を異ならせた色調の光を投光するという構成を採用しても良い。
このような構成を採用することによって、本発明では、色の変化によるイルミネーション効果により視認性を高めることができる。この場合例えば、複数の投光装置３０が、少なくとも赤、緑、青の光の三原色を投光できるように構成すれば、反射部２０によって複数の色の異なる光を投光窓４ａに導光し、混じり合わせることで様々な色を出現させることができる。
【００３６】
また、例えば、上述した制御装置により、回転部材１１の回転方向及び回転速度の少なくともいずれか一方を調節することで、異なる色調の光を投光窓４ａに導光するタイミングや周期を調節し、投光窓４ａに発現する色調の変化を一定ではなく、様々に変化させる構成であっても良い。
また、回転部材１１の回転数は、ユーザの視覚特性に応じて設定することが望ましい。例えば、通常、振動を発生させるため振動モータが回転部材１１を回転させる回転数は約１００００ｒｐｍ程度であるが、回転数が多いと色調の変化が視認できない場合もあるため、通常の回転数よりも低く設定することが望ましい。
また、本発明の照明装置１０は、着信状態のときのみに動作するものではなく、例えば、着信動作の後に着信があったことをユーザに通知するために動作する構成であっても良い。この場合、回転部材１１の回転数を高める必要はなく、例えば、数十〜数百ｒｐｍ程度の回転数で、色調を変化させることが望ましい。
【００３７】
また、例えば、回転部材１１の形状は略半月形状に限定されるものではなく、他の形状、例えば多角形状を有し、その側面（平面）の全てもしくは一部に反射部２０を設ける構成であっても良い。
図４は、別実施形態における照明装置１０の構成を示す図であり、回転部材１１は五角形状を有する。別実施形態における反射部２０は、回転部材１１の平面１３ａのそれぞれに設けられ、複数の投光装置３０の光を投光窓４ａに向けて反射可能な構成となっている。
【００３８】
また、例えば、回転部材１１は、光を透過するガラスやアクリル等の透明部材から構成されても良い。この構成によれば投光窓４ａに一時的に光が導光されなくなることを防止することができる。
また、反射部２０は、本実施形態の側面１３の曲面の部位に設けられる構成であっても良い。
【図面の簡単な説明】
【００３９】
【図１】本発明の実施の形態におけるＰＨＳ端末の外観を示す斜視図である。
【図２】本発明の実施の形態におけるＰＨＳ端末Ａの閉状態の外観を示す斜視図である。
【図３】図２における線視Ｘ−Ｘ断面図である。
【図４】本発明の別実施形態における照明装置を示す斜視図である。
【符号の説明】
【００４０】
４…表示側筐体（筐体）、４ａ…投光窓（拡散部材）、１０…照明装置、１１…回転部材（偏心部材）、１２…回転軸、１３…側面、１３ａ…平面、２０…反射部、３０…投光装置、Ａ…ＰＨＳ端末（携帯端末装置）
【図１】
2010087592.tif 000003
【図２】
2010087592.tif 000004
【図３】
2010087592.tif 000005
【図４】
2010087592.tif 000006